(57)【要約】【課題】セキュリティを確保しつつ、複雑化するパスワードの入力操作の簡易化を図ることができる画像処理装置の簡易認証システムを提供する。【解決手段】ユーザがログインする際に、パスワード記憶手段６に記憶されているユーザのパスワードに対応するソフトウェアキーを、ジェスチャー登録手段５に登録されたユーザのジェスチャーパターンの並び順に沿って配置し、パスワードのソフトウェアキー表示以外の部分に画面サイズに合わせてソフトウェアキーを配置したパスワード入力画面を作成し、表示手段２に表示する。表示されたパスワード入力画面中のソフトウェアキーをユーザが登録されているジェスチャーパターン通りになぞった際のソフトウェアキーの入力とパスワードとの同一性を判定することにより、ユーザの認証を行なう。認証の実行は、ユーザの直近のログイン状態での操作に応じて判断される。【選択図】  図３
2014075011.tif 000002
【特許請求の範囲】
【請求項１】
画像処理装置または外部に設けられ、ユーザが画像処理装置にログインする際の認証に必要なユーザ毎のパスワードを記憶するパスワード記憶手段と、
画像処理装置または外部に設けられ、ユーザのパスワードに紐付けたソフトウェアキー表示用のジェスチャーパターンを登録するジェスチャー登録手段と、
画像処理装置または外部に設けられ、ユーザがログインする際に、前記パスワード記憶手段に記憶されているユーザのパスワードに対応するソフトウェアキーが、前記ジェスチャー登録手段に登録されたユーザのジェスチャーパターンの並び順に沿って配置されるとともに、該配置された前記パスワードのソフトウェアキー以外の部分に画面サイズに合わせてソフトウェアキーが配置されたパスワード入力画面を作成するパスワード入力画面作成手段と、
画像処理装置または外部に設けられ、前記パスワード入力画面作成手段により作成されたパスワード入力画面を表示する表示手段と、
画像処理装置または外部に設けられ、前記表示手段に表示されたパスワード入力画面中のソフトウェアキーをユーザが登録されているジェスチャーパターン通りになぞった際のソフトウェアキーの入力と前記パスワードとの同一性を判定することにより、該ユーザの認証を行なう簡易認証手段と、
画像処理装置または外部に設けられ、前記ユーザの直近のログイン状態での操作に応じて前記簡易認証手段による認証を実行させる認証実行制御手段と、
を備えたことを特徴とする画像処理装置の簡易認証システム。
【請求項２】
前記ジェスチャー登録手段は、ジョブ開始時に該ジョブと紐付けてジェスチャ−パターンの登録を受け付ける請求項１に記載の画像処理装置の簡易認証システム。
【請求項３】
前記ジェスチャー登録手段は、ユーザ情報登録時にジョブ種別と紐付けて前記ジェスチャーパターンの登録を受け付ける請求項１に記載の画像処理装置の簡易認証システム。
【請求項４】
前記簡易認証手段により、ユーザが登録されているジェスチャーパターン通りになぞった際のソフトウェアキーの入力と前記パスワードとが同一であると判定された場合は、前記表示手段は、前記ジェスチャーパターンと紐付けられたジョブの設定画面を表示する請求項２または３に記載の画像処理装置の簡易認証システム。
【請求項５】
前記画像処理装置とネットワークを介してジェスチャー管理機能を有する管理サーバを備えるとともに、該管理サーバは少なくとも前記簡易認証手段を備え、
前記画像処理装置の表示手段が、前記パスワードに対応するソフトウェアキーを、前記ジェスチャー登録手段に登録されたユーザのジェスチャーパターンの並び順に沿った配置で表示できない場合は、通常のフルキーボードを画像処理装置の表示手段に表示させ、
前記簡易認証手段は、前記フルキーボードを用いてユーザが正しいパスワードを入力したかどうかを判断し、正しいパスワードを入力したと判断された場合、前記画像処理装置の表示手段に前記ユーザのジェスチャーパターンと紐付けられたジョブの設定画面が表示される請求項２または３に記載の画像処理装置の簡易認証システム。
【請求項６】
前記認証実行制御手段は、前記画像処理装置に他のユーザがログインしていない時にのみ、前記簡易認証手段による認証を実行させる請求項１〜５のいずれかに記載の画像処理装置の簡易認証システム。
【請求項７】
ユーザが画像処理装置にログインする際の認証に必要なユーザ毎のパスワードを記憶するパスワード記憶手段と、
表示手段と、
ユーザのパスワードに紐付けたソフトウェアキー表示用のジェスチャーパターンを登録するジェスチャー登録手段と、
ユーザがログインする際に、前記パスワード記憶手段に記憶されているユーザのパスワードに対応するソフトウェアキーが、前記ジェスチャー登録手段に登録されたユーザのジェスチャーパターンの並び順に沿って配置されるとともに、該配置された前記パスワードのソフトウェアキー以外の部分に画面サイズに合わせてソフトウェアキーが配置されたパスワード入力画面を作成するパスワード入力画面作成手段と、
前記表示手段に表示されたパスワード入力画面中のソフトウェアキーをユーザが登録されているジェスチャーパターン通りになぞった際のソフトウェアキーの入力と前記パスワードとの同一性を判定することにより、該ユーザの認証を行なう簡易認証手段と、
前記ユーザの直近のログイン状態での操作に応じて前記簡易認証手段による認証を実行させるか否かを制御する認証実行制御手段と、
を備えたことを特徴とする画像処理装置。
【発明の詳細な説明】
【技術分野】
【０００１】
この発明は、多機能デジタル画像形成装置であるＭＦＰ（Multi Function Peripherals) 等の画像処理装置にログインする時の簡易認証に適用される画像処理装置の簡易認証システム、及び画像処理装置に関する。
【背景技術】
【０００２】
近年、オフィス等において、前記ＭＦＰを使うためのユーザのパスワードは、セキュリティ強化の観点から文字数が増大化し、かつ複雑化する傾向にある。
【０００３】
一方、ＭＦＰは、ユーザ端末としてのパーソナルコンピュータ（ＰＣという）と同じ認証サーバに接続してあることが多いので、限られたユーザ・インターフェース（ＵＩともいう) の操作画面において、ユーザは、ＰＣの利用時と同じ複雑なパスワードを入力する必要がある。
【０００４】
また、従来、複雑化するパスワードの入力操作を簡単にするために、ユーザは、登録パスワードそのものではなく、キーボードのキーイメージ・シーケンスからなるイメージパターンと、イメージパターンを形成する時のキーの入力順序を表すイメージ・シーケンスからなるパスワード・イメージ、および指定順位を記憶しておき、ＰＣが指定順位に割り当てり特定キーを生成すると、ユーザは、特定キーとパスワード・イメージと指定順位とに基づいて入力パスワードをキーボードから入力し、ＰＣでは、特定キーと指定順位と登録パスワードから抽出したパスワード・イメージとに基づいて認証パスワードを生成し、認証パスワードと入力パスワードとを比較してユーザ認証を行なうようにした技術が提案されている（例えば、特許文献１参照）。
【先行技術文献】
【特許文献】
【０００５】
【特許文献１】特開２００８−１８１４４０号公報
【発明の概要】
【発明が解決しようとする課題】
【０００６】
ところで、最近のＭＦＰ等では、操作パネル部の入力手段がタッチパネルの表示部で構成されたものが多く普及している。しかし、タッチパネル画面の大きさが比較的小さいため、タッチ操作等の入力手段としてハードウェアキーボードを利用するＰＣとは大きく異なり、誤入力してしまうことも少なくない。
【０００７】
また、特許文献１に記載された技術では、毎回異なるパスワードの入力となるので、ユーザは不慣れなパスワード・イメージを記憶する必要があり、また、そのパスワード・イメージを忘れた場合、簡易認証（入力）手段が使えなくなるという問題がある。
【０００８】
この発明は、上記実情に鑑みてなされたものであり、セキュリティを確保しつつ、複雑化するパスワードの入力操作の簡易化を図ることが可能な画像処理装置の簡易認証システム、及び画像処理装置を提供することを課題としている。
【課題を解決するための手段】
【０００９】
上記課題は以下の手段によって解決される。
（１）画像処理装置または外部に設けられ、ユーザが画像処理装置にログインする際の認証に必要なユーザ毎のパスワードを記憶するパスワード記憶手段と、画像処理装置または外部に設けられ、ユーザのパスワードに紐付けたソフトウェアキー表示用のジェスチャーパターンを登録するジェスチャー登録手段と、画像処理装置または外部に設けられ、ユーザがログインする際に、前記パスワード記憶手段に記憶されているユーザのパスワードに対応するソフトウェアキーが、前記ジェスチャー登録手段に登録されたユーザのジェスチャーパターンの並び順に沿って配置されるとともに、該配置された前記パスワードのソフトウェアキー以外の部分に画面サイズに合わせてソフトウェアキーが配置されたパスワード入力画面を作成するパスワード入力画面作成手段と、画像処理装置または外部に設けられ、前記パスワード入力画面作成手段により作成されたパスワード入力画面を表示する表示手段と、画像処理装置または外部に設けられ、前記表示手段に表示されたパスワード入力画面中のソフトウェアキーをユーザが登録されているジェスチャーパターン通りになぞった際のソフトウェアキーの入力と前記パスワードとの同一性を判定することにより、該ユーザの認証を行なう簡易認証手段と、画像処理装置または外部に設けられ、前記ユーザの直近のログイン状態での操作に応じて前記簡易認証手段による認証を実行させる認証実行制御手段と、を備えたことを特徴とする画像処理装置の簡易認証システム。
（２）前記ジェスチャー登録手段は、ジョブ開始時に該ジョブと紐付けてジェスチャ−パターンの登録を受け付ける前項１に記載の画像処理装置の簡易認証システム。
（３）前記ジェスチャー登録手段は、ユーザ情報登録時にジョブ種別と紐付けて前記ジェスチャーパターンの登録を受け付ける前項１に記載の画像処理装置の簡易認証システム。
（４）前記簡易認証手段により、ユーザが登録されているジェスチャーパターン通りになぞった際のソフトウェアキーの入力と前記パスワードとが同一であると判定された場合は、前記表示手段は、前記ジェスチャーパターンと紐付けられたジョブの設定画面を表示する前項２または３に記載の画像処理装置の簡易認証システム。
（５）前記画像処理装置とネットワークを介してジェスチャー管理機能を有する管理サーバを備えるとともに、該管理サーバは少なくとも前記簡易認証手段を備え、前記画像処理装置の表示手段が、前記パスワードに対応するソフトウェアキーを、前記ジェスチャー登録手段に登録されたユーザのジェスチャーパターンの並び順に沿った配置で表示できない場合は、通常のフルキーボードを画像処理装置の表示手段に表示させ、前記簡易認証手段は、前記フルキーボードを用いてユーザが正しいパスワードを入力したかどうかを判断し、正しいパスワードを入力したと判断された場合、前記画像処理装置の表示手段に前記ユーザのジェスチャーパターンと紐付けられたジョブの設定画面が表示される前項２または３に記載の画像処理装置の簡易認証システム。
（６）前記認証実行制御手段は、前記画像処理装置に他のユーザがログインしていない時にのみ、前記簡易認証手段による認証を実行させる前項１〜５のいずれかに記載の画像処理装置の簡易認証システム。
（７）ユーザが画像処理装置にログインする際の認証に必要なユーザ毎のパスワードを記憶するパスワード記憶手段と、表示手段と、ユーザのパスワードに紐付けたソフトウェアキー表示用のジェスチャーパターンを登録するジェスチャー登録手段と、ユーザがログインする際に、前記パスワード記憶手段に記憶されているユーザのパスワードに対応するソフトウェアキーが、前記ジェスチャー登録手段に登録されたユーザのジェスチャーパターンの並び順に沿って配置されるとともに、該配置された前記パスワードのソフトウェアキー以外の部分に画面サイズに合わせてソフトウェアキーが配置されたパスワード入力画面を作成するパスワード入力画面作成手段と、前記表示手段に表示されたパスワード入力画面中のソフトウェアキーをユーザが登録されているジェスチャーパターン通りになぞった際のソフトウェアキーの入力と前記パスワードとの同一性を判定することにより、該ユーザの認証を行なう簡易認証手段と、前記ユーザの直近のログイン状態での操作に応じて前記簡易認証手段による認証を実行させるか否かを制御する認証実行制御手段と、を備えたことを特徴とする画像処理装置。
【発明の効果】
【００１０】
前項（１）に記載の発明によれば、ユーザが画像処理装置にログインする際に、表示手段に表示されたパスワード入力画面に、ユーザの登録済パスワードが登録済のジェスチャーパターンの並び順で表示さるようになっているので、ユーザはパスワード入力画面に対して、ジェスチャーパターン通りに表示中のソフトウェアキーを押下するだけでパスワードを入力することができ、パスワードが長文化／複雑化してもその入力操作を簡易に行なうことができる。さらに、前記パスワードのソフトウェアキー表示以外の部分に表示されるソフトウェアキーの数を、表示画面サイズに合わせて増減できるので、キーサイズが小さくなり過ぎるのが防止されるうえ、表示キーの押し辛さも低減される。
【００１１】
また、ユーザの直近のログイン状態での操作に応じて簡易認証手段による認証を実行させるから、そのユーザが直近に画像処理装置にログインして操作を行っていた場合には、直近のログインから一定時間に限り簡易認証によるログインを許可するといった動作も可能になり、セキュリティ低下のリスクを低減できる。
【００１２】
前項（２）に記載の発明によれば、ジョブ開始時に該ジョブと紐付けてジェスチャ−パターンの登録を行うことができる。
【００１３】
前項（３）に記載の発明によれば、ユーザ情報登録時にジョブ種別と紐付けてジェスチャーパターンを登録することができる。
【００１４】
前項（４）に記載の発明によれば、ユーザが登録されているジェスチャーパターン通りになぞった際のソフトウェアキーの入力と前記パスワードとが同一であると判定された場合、換言すればログインするための簡易認証が成功した時に、ジェスチャーパターンと紐付けられたジョブの設定画面が表示手段に表示されるので、操作性が向上する。
【００１５】
前項（５）に記載の発明によれば、画像処理装置とサーバーとにより簡易認証システムを構築できるとともに、ジェスチャーパターンに添ってキーを配置した表示ができない画像処理装置であっても、ジェスチャーパターンに紐付けられたジョブ種別についての情報を取得できるため、ユーザインターフェースに制限のある画像処理装置であっても、認証を行うことができる。
【００１６】
前項（６）に記載の発明によれば、画像処理装置に他のユーザがログインしていない時にのみ、簡易認証手段による簡易認証が可能となるから、セキュリティ上一層安全な状態のときに簡易認証機能を使用することができる。
【００１７】
前項（７）に記載の発明によれば、ユーザはパスワード入力画面に対して、ジェスチャーパターン通りに表示中のソフトウェアキーを押下するだけでパスワードを入力することができ、パスワードが長文化／複雑化してもその入力操作を簡易に行なうことができる画像処理装置となし得る。
【図面の簡単な説明】
【００１８】
【図１】この発明の一実施形態に係る画像処理装置としてのＭＦＰの電気的構成を示すブロック図である。
【図２】簡易認証用のパスワード入力画面の表示処理におけるデータの流れを示す図である。
【図３】簡易認証用のパスワード入力画面に対して操作がなされたときの操作後の処理におけるデータの流れを示す図である。
【図４】ジェスチャーパターン管理テーブルを示す表である。
【図５】ジェスチャーパターン登録画面の説明図である。
【図６】ユーザが画面に入力したジェスチャーのイメージ図である。
【図７】パスワード入力画面の説明図である。
【図８】この発明の他の実施形態に係る画像処理装置の簡易認証システムの構成図である。
【発明を実施するための形態】
【００１９】
以下、この発明の実施形態を図面に基づいて説明する。
【００２０】
図１は、この発明の一実施形態に係る画像処理装置の電気的構成を示すブロック図である。この実施形態では、画像処理装置として前述のＭＦＰが用いられている。
【００２１】
図１において、ＭＦＰ１０１は、単独で簡易認証システムの機能を有しており、システム制御部１と、表示・入力部２と、システム状態管理部３と、表示キー作成部４と、ジェスチャー管理部５と、認証処理部６とを備えている。
【００２２】
前記システム制御部１は、ＭＦＰ１０１の全体の動作を統括制御する他に、この実施形態では、ユーザが直近にＭＦＰ１０１にログインしていたかどうかに応じて、簡易認証の実行を制御する機能も有している。
【００２３】
前記表示・入力部２は、図示しない操作パネル部の一部を構成しており、前記システム制御部１の指示に応じてユーザのＩＤを入力する機能を有する他に、簡易認証時に操作画面部２１に後述するパスワード入力画面を表示できるようになっている。
【００２４】
前記システム状態管理部３は、ユーザのログイン履歴や操作履歴等のシステム状態を保存管理しており、システム制御部１からシステム状態の取得要求があれば、システム制御部１に操作履歴等のシステム状態を送信するものである。
【００２５】
前記表示キー作成部４は、システム制御部１から表示画面の取得要求があれば、パスワード表示キー等を配置したパスワード入力画面（パスワード入力用ソフトウェアキーの表示画面）ＰＶ（図７参照）をシステム制御部１に送信するものである。
【００２６】
具体的には、ユーザがＭＦＰ１０１にログインする際に、予め記憶されているユーザのパスワードに対応するソフトウェアキーＳＫ（図７）を、ユーザが予め登録したジェスチャーパターンの並び順に沿って配置するとともに、パスワードのソフトウェアキー表示以外の部分に画面サイズに合わせてソフトウェアキーを配置したパスワード入力画面ＰＶを作成する。
【００２７】
なお、ジェスチャーパターンは、画面にタッチした１本または複数本の指による画面上の動作である。
【００２８】
前記ジェスチャー管理部５は、ジェスチャー情報ＧＤを記憶・管理するものであり、システム制御部１からジェスチャーパターンの取得要求があれば、ジェスチャー情報ＧＤを参照して、登録済のジェスチャーパターンをシステム制御部１に送信する。
【００２９】
前記ジェスチャー情報ＧＤとしては、ユーザＩＤ、ジェスチャーパターン、ジョブ種別等があり、ユーザＩＤとジェスチャーパターンは相互に紐付けられた状態で、またジェスチャーパターンとジョブ種別とが紐付けられた状態で、予め登録され記憶されている。
【００３０】
前記認証処理部６は、ユーザのパスワードを記憶する記憶手段も兼務しており、システム制御部１からパスワード取得要求があれば、ユーザデータＵＤを参照して、予め登録されているそのユーザのパスワードを、システム制御部１に送信する。
【００３１】
前記ユーザデータとしては、ユーザＩＤやパスワードがあり、これらは相互に紐付けられた状態で登録され記憶されている。
【００３２】
図２は、簡易認証用のパスワード入力画面ＰＶを表示する際の表示処理におけるデータの流れを示す図である。
【００３３】
図２において、ＭＦＰ１にログインするユーザが表示・入力部２からユーザＩＤを入力すると、前記システム制御部１は表示・入力部２からユーザＩＤを受け取り、システム状態管理部３に対して当該ユーザが直近にログインし操作を行ったか、つまり操作履歴があるかを確認する。
【００３４】
前記システム制御部１では、システム情報管理部３から「当該ユーザの直近の操作履歴がある」との回答が得られれば、簡易認証機能の使用を許可するものとし、ジェスチャー管理部５から、ユーザＩＤを基づいて当該ユーザが登録してあるジェスチャーパターンを取り出し、認証処理部６から登録済のパスワードを取得する。
【００３５】
そして、システム制御部１では、取得したジェスチャーパターンとパスワードを表示キー作成部４に渡してパスワード入力画面の作成と取得を要求し、該表示キー作成部４で作成されたパスワード入力画面ＰＶを取得し、このパスワード入力画面ＰＶが表示・入力部２に表示される。
【００３６】
このような構成により、ユーザがＭＦＰ１０１にログインする際に、表示・入力部２に表示されたパスワード入力画面に、ユーザのパスワードが登録済のジェスチャーパターンの並び順で表示されるので、ユーザはジェスチャーパターン通りにソフトウェアキーＳＫを押下するだけでパスワードを入力することができ、入力操作が簡易になる。
【００３７】
また、ユーザが直近にログインしたときの操作状態に応じて簡易認証機能のＯＮ／ＯＦＦ（簡易認証機能の使用の許否）を制御することにより、例えば簡易認証機能の受け付けを直近のログインから一定時間内に制限するといった処理が可能となり、簡易認証によるセキュリティ低下のリスクを低減できる。
【００３８】
また、パスワードそのものは変わらないので、例えユーザがジェスチャーパターンを忘れた場合でも、ログインできなくなるおそれはない。
【００３９】
なお、直近にログインしたユーザに本実施形態の簡易認証を許可する場合の例としては、直近にＰＣクライアントからのプリントジョブを実行していたユーザが、ＭＦＰ１０１の操作で再プリントする場合や、外部端末に表示中のＷｅｂサイトの画面をＭＦＰ１０１で印刷したが、端が切れている等の理由から再調整した後に再印刷する場合や、ＰＣクライアントからＭＦＰ１０１にログイン中であるときに、ＭＦＰ１０１での設定によりワンタッチ操作を登録する場合等がある。
【００４０】
図３は、簡易認証用のパスワード入力画面ＰＶに対する操作後の処理におけるデータの流れを示す図である。
【００４１】
図３において、ユーザが、前記表示・入力部２に表示されたパスワード入力画面に対して、登録したジェスチャー通りになぞるように表示キーＫをタッチ操作してパスワードを入力すると、入力されたパスワードが表示・入力部２からシステム制御部１に送信され、システム制御部１はパスワードをさらに認証処理部に６に送信して認証を要求する。認証処理部６は、前記送信されてきたパスワードとユーザに紐付けられた登録済のパスワードとを比較し、両者が同一であれば認証成功と判断し、異なれば認証失敗と判断する。そして、システム制御部１に認証結果を送信する。
【００４２】
システム制御部１は、前記認証処理部６からの認証結果を表示・入力部２に送信する。表示・入力部２は、認証結果が「認証成功」である場合には、システム制御部１にジョブ取得要求を送信し、システム制御部１はジェスチャ管理部５にジョブ取得要求を送信する。
【００４３】
ジェスチャ管理部５は、図４の表に示すように、ユーザＩＤ、ジェスチャパターンと紐付けられたジョブ種別を取得して、システム制御部１に通知する。
【００４４】
システム制御部１は、ジェスチャー管理部５からのジョブ種別を通知されると、そのジョブ種別を表示・入力部２に通知する。表示・入力部２は、ジョブ種別に対応するジョブの設定画面を操作画面部２１から取得して、画面に表示する。
【００４５】
図４は、ジェスチャー管理テーブルを示す表である。
【００４６】
この実施形態では、ＩＮＤＥＸ（１，２，３・・・）毎にユーザＩＤ、ジェスチャーパターン、ジョブ種別の各データが記憶されている。
【００４７】
例えば、ＩＮＤＥＸ４では、ユーザＩＤが「０００３」、ジェスチャーパターンが「０００４」、ジョブ種別が「コピー」となっている。
【００４８】
次に、ジェスチャーパターンの登録について説明する。
【００４９】
ジェスチャーパターンの登録のタイミングは限定されることはなく、ジョブ開始時に該ジョブと紐付けてジェスチャ−パターンの登録を受け付けても良いし、ユーザ情報登録時にジョブ種別と紐付けて前記ジェスチャーパターンの登録を受け付けてもよい。
【００５０】
図５は、前記表示・入力部２に表示されたジェスチャーパターンの登録画面ＧＶの説明図である。
【００５１】
ジェスチャーパターンの登録画面ＧＶ中には、ジェスチャー記入用画面ＶＩが表示されており、ユーザは記入画面ＶＩ内の画面を指でタッチした状態で移動させると、その動作（移動軌跡）がジェスチャーパターンＧとして登録される。また、この実施形態では、登録はジョブ種別と共に行われ、図５の例ではスキャン用のジェスチャーパターンを登録する場合が示されている。
【００５２】
図６は、ユーザがパスワード入力画面ＰＶに入力したジェスチャーパターンＧのイメージ図である。
【００５３】
図６おいて、パスワード入力画面ＰＶには、横方向の所定符号１，２，３・・・と縦方向の所定符号ａ，ｂ，ｃ・・・とによりマトリックス状の多数のキー表示用領域Ｓが設けられている。
【００５４】
ユーザが、ユーザが領域Ｓに対して、例えばＬ形のジェスチャーパターンＧ（斜線部分）をタッチ操作で記入すると、そのジェスチャーパターンＧは、ジェスチャー管理部５で登録・管理される。つまり、図６の例では、ユーザＩＤに紐付くジェスチャーパターンＧはＬ形のイメージとなる。
【００５５】
実際のジェスチャー管理では、タッチする順番を記憶する必要があるので、例えばＬ形通りにジェスチャーパターンが作成された場合、ジェスチャーパターン「Ｌ」は、ａ−３、ｂ−３、ｃ−３、・・・ｇ−３、ｇ−４、・・・、ｇ−７の順でデータとして管理されるようになっている。
【００５６】
図７は、パスワード入力画面ＰＶを示す説明図である。
【００５７】
図７において、前記ジェスチャーパターンＧを登録したユーザが、簡易認証機能を利用してＭＦＰ１０１にログインしようする場合に表示されるパスワード入力画面ＰＶには、パスワードがジェスチャーパターンＧに添った並び順で表示されている。
【００５８】
例えば、ユーザのパスワードが「ＡＢＣＤＥＦＧＨＩＪＫ」であるとすれば、図６で登録されたジェスチャーパターンＧ通りにＡ〜Ｋの各表示キーがＬ形に並び、それ以外の部分は、ダミーの文字を示す表示キーが配置されている。これらのパスワード表示以外の部分の表示キーは、画面ＰＶのサイズに合わせた数に設定されている。つまり、表示画面のサイズが大きくなると、各キーの表示サイズを変更することなく、表示画面のサイズに合わせてパスワード表示以外の部分の表示キーも多く配置され、表示画面のサイズが小さくなると、パスワード表示以外の部分の表示キーも少なくなる。
【００５９】
パスワードの表示キーをランダムに並べる場合は、表示キーの数を省略できないため、表示画面のサイズが小さいと表示キーの表示サイズも小さくする必要があるが、この実施形態のように、パスワードの表示キーがジェスチャーパターンの並び順で表示されていれば、パスワード以外の表示キーの数は少なくても良いので、パスワードのソフトウェアキー表示以外の部分に表示されるソフトウェアキーの数を、表示画面サイズに合わせて増減できる。このため、表示画面のサイズが小さくても、キーサイズが小さくする必要はなくなり、キーＳＫの押し辛さも低減される。
【００６０】
簡易認証用のパスワード入力画面ＰＶで表示する文字（キー）の数とジェスチャー管理部５で登録可能な升目の数は同じであり、かつこれらは、画面サイズをシステム制御部１が指示することにより表示キー作成部４、ジェスチャー管理部５で変更される。
【００６１】
なお、この実施形態では、簡易認証システムにおける主要機能をすべてＭＦＰ１０１が備えていることを想定して説明したが、図８に示すように、ＭＦＰ１０１とＰＣ端末１０２と管理サーバ１０３等をネットワーク１０４を介して接続し、表示・入力部２、システム状態管理部３、表示キー作成部４、ジェスチャー管理部５、認証処理部６等のうちの少なくとも一部の機能を、前記管理サーバ１０３に具備させてもよい。この場合、ユーザの直近のログイン状態での操作に応じて前記認証処理部６による認証を実行させるか否かは、管理サーバ１０３の全体を制御するサーバのシステム制御部が判断すればよい。
【００６２】
また、ＭＦＰ１０１自身では、ジェスチャーパターンに従ったソフトウェアキーＳＫを表示・入力部２に表示できない場合、該表示・入力部２に通常のフルキーボードを表示させ、ユーザから正しいパスワードの入力があった場合には、前記管理サーバ１０３が該ユーザに紐付けられたジェスチャーパターンＧからジョブ種別を取り出し、取り出したジョブ種別に従ったユーザ・インターフェースをＭＦＰ１０１の表示・入力部２に表示させるようにしてもよい。
【符号の説明】
【００６３】
１      システム制御部
２      表示・入力部
４      表示キー作成部
５      ジェスチャー管理部
１０１  画像処置装置（ＭＦＰ）
１０３  管理サーバ
Ｇ      ジェスチャーパターン
ＧＶ    ジェスチャー登録画面
ＰＶ    パスワード入力画面
ＳＫ    ソフトウェアキー
【図１】
2014075011.tif 000003
【図２】
2014075011.tif 000004
【図３】
2014075011.tif 000005
【図４】
2014075011.tif 000006
【図５】
2014075011.tif 000007
【図６】
2014075011.tif 000008
【図７】
2014075011.tif 000009
【図８】
2014075011.tif 000010